(57)【要約】【課題】プロジェクター表示式遊技機において、発光管やダイオードなどを用いなくても、同等以上の盤面演出が可能な低コスト、メンテナンス不要の装飾部材、及び、遊技機を提供する。【解決手段】プロジェクター９１により遊技盤１背面から光を照射して、盤面上に映像を映し出すプロジェクター表示式遊技機において、盤面前面に突出した突起部４を設ける。突起部４には透過率の高い材質を用いる。遊技盤１の裏面には、突起部４に対応する位置を取り囲むように遮光板３を設置する。遮光板３は突起部４よりも透過率の低い材質を用いる。この突起部４及び遮光板３を含む装飾部材２に、背面からプロジェクター９１によって光を照射することにより、突起部４をランプが点灯しているように見せることができる。【選択図】　　　　図１
2004049739.tif 000002
【特許請求の範囲】
【請求項１】
遊技盤の背面側に光を照射するプロジェクターを含む遊技機に設置される装飾部材であって、
前記遊技盤の背面からプロジェクターにより照射された照射光を、その前面に一定の透過率で透過させる透過部と、前記透過部を取り囲むように設置され、前記透過率よりも低い透過率を有する周辺部と、を有することを特徴とする装飾部材。
【請求項２】
前記透過部は、前記遊技盤の前面に突出して設けられ、かつ、前記遊技盤を透過した光の光路上に、その光路に略垂直に設置された光調節板を含み、この光調節板を介して前記照射光を透過させることを特徴とする請求項１に記載の装飾部材。
【請求項３】
前記光調節板は、その表面にローレット加工が施されていることを特徴とする請求項２に記載の装飾部材。
【請求項４】
前記周辺部は、前記プロジェクターにより照射される光を受光して、映像を映し出すスクリーンを有することを特徴とする請求項１〜３のいずれか１項に記載の装飾部材。
【請求項５】
請求項１〜４のいずれか１項に記載の装飾部材と、前記装飾部材に光を照射するプロジェクターと、を備えた遊技機であって、
前記プロジェクターは、前記装飾部材に照射する照射光を調節する照射光調節手段を有することを特徴とする遊技機。
【請求項６】
前記照射光調節手段は、複数種類の色彩が段階的に表示されるように、前記照射光を調節することを特徴とする請求項５に記載の遊技機。
【請求項７】
前記照射光調節手段は、前記装飾部材の材質の色彩と異なる色彩が表示されるように、前記照射光を調節することを特徴とする請求項５に記載の遊技機。
【発明の詳細な説明】
【０００１】
【発明の属する技術分野】
本発明は装飾部材、及び、遊技機に関し、特にプロジェクターを用いて遊技面を演出する遊技機に設置される装飾部材、及び、遊技機に関する。
【０００２】
【従来の技術】
従来、遊技機においては、発光管や発光ダイオード等を用いて役物をライトアップしたり、発光ダイオードを特定パターンで点滅・点灯させる等によって盤面を効果的に演出している。
また、近年においては、特開平８−１９６６８９号公報に開示されるようなプロジェクター表示式遊技機が考案されている。同公報に開示されている遊技機は、プロジェクターにより照射される光を遊技盤裏面に設置されたスクリーンにおいて受光し、その前面に拡大投影された映像を映し出すものである。これにより、迫力ある盤面演出が可能になっている。
【０００３】
【発明が解決しようとする課題】
ここで、プロジェクター表示式遊技機においても、スクリーンに映し出される映像と異なった、より効果的な盤面演出を行うために、盤面上に発光ダイオード等を設置して、点滅や点灯させることが考えられる。
しかし、プロジェクター表示式遊技機においては、発光ダイオード等の発光装置や、それらを制御するための基盤、配線等を遊技盤裏面に設置するのが通常の遊技機よりも困難である。なぜならば、遊技盤裏面から光を照射するために、遊技盤には、その背面に設置した器具の影が映し出されてしまうからである。また、それらの１つ１つの部品を設置するのは高コストであり、消耗・故障時の交換メンテナンスにもコストや手間を要している。
【０００４】
本発明の目的は、プロジェクターの光を用いて同等の演出効果を得ることができる装飾部材、及び、遊技機を提供することにある。
【０００５】
【課題を解決するための手段】
本発明の請求項１による装飾部材は、遊技盤の背面側に光を照射するプロジェクターを含む遊技機に設置される装飾部材であって、
前記遊技盤の背面からプロジェクターにより照射された照射光を、その前面に一定の透過率で透過させる透過部と、前記透過部を取り囲むように設置され、前記透過率よりも低い透過率を有する周辺部と、を有することを特徴とする。
【０００６】
プロジェクターからの照射光の透過率がその周りよりも高い透過部を設けることにより、透過部だけが明るくなり、通常は一様にプロジェクターからの照射光を映し出す盤面の視覚効果に変化をつけることができる。この透過部の透過率、周辺部の透過率、及び、透過部と周辺部の透過率の差等を調節することにより、様々な演出が可能になる。
【０００７】
本発明の請求項２による装飾部材は、請求項１において、前記透過部は、前記遊技盤の前面に突出して設けられ、かつ、前記遊技盤を透過した光の光路上に、その光路に略垂直に設置された光調節板を含み、この光調節板を介して前記照射光を透過させることを特徴とする。
盤面上に突出した光調節板を設けることにより、盤面に設置されたランプが点灯しているような視覚効果を与えることができる。すなわち、プロジェクターの輝度は高いことから、光調節板の透過の度合いを高めれば照明具が光っているように見せることができる。この光調節板には、例えば、レンズを用いる。
【０００８】
本発明の請求項３による装飾部材は、請求項２において、前記光調節板は、その表面にローレット加工が施されていることを特徴とする。
本発明の請求項４による装飾部材は、請求項１〜３のいずれか１項において、前記周辺部は、前記プロジェクターにより照射される光を受光して、映像を映し出すスクリーンを有することを特徴とする。
【０００９】
透過部の周りにスクリーンを設置して、プロジェクターにより投影された映像を映し出すことにより、固定的に遮光物を設置する場合と異なって、盤面映像に応じて透過部の光を変えたり、透過部の光を効果的に見せるために背景を適宜変化させたりすることができる。すなわち、このような変化を行うためには、プロジェクターからの照射光を調節するだけでよい。
【００１０】
本発明の請求項５による遊技機は、請求項１〜４のいずれか１項に記載の装飾部材と、前記装飾部材に光を照射するプロジェクターと、を備えた遊技機であって、
前記プロジェクターは、前記装飾部材に照射する照射光を調節する照射光調節手段を有することを特徴とする。
【００１１】
本発明の請求項６による遊技機は、請求項５において、前記照射光調節手段は、複数種類の色彩が段階的に表示されるように、前記照射光を調節することを特徴とする。
複数種類の色彩を段階的に表示する例としては、色相を段階的に変化させて７色を表示するレインボー点灯や、色彩の強弱や濃淡が段階的に変化した複数種類の色彩を表示するグラデーション点灯などが挙げられる。
【００１２】
本発明の請求項７による遊技機は、請求項５において、前記照射光調節手段は、前記装飾部材の材質の色彩と異なる色彩が表示されるように、前記照射光を調節することを特徴とする。
これにより、例えば、発光ダイオードや蛍光ランプのように盤面に設置される発光器具自体を取替えることなく、また、光調節板自体に着色等を施すことなく、照射光の調節のみで表示する色を変化させることができる。
【００１３】
【発明の実施の形態】
次に、図面を参照して本発明の実施の形態について説明する。なお、以下の説明において参照する各図においては、他の図と同等の部分が同一符号によって示されている。
図１（Ａ）には、遊技盤１に設置された装飾部材２の側面図が、同図（Ｂ）には、同図（Ａ）の矢印Ｙ方向から見た正面図が示されている。
【００１４】
本実施例の装飾部材２は、遊技盤１にプロジェクターにより投影された映像を表示するプロジェクター表示式遊技機において用いられる。プロジェクター式遊技機では、同図（Ａ）に示されるように、プロジェクター９１を遊技盤１の背面に設置し、プロジェクター９１から遊技盤１に映像を照射する。同図中には示されていないが、実際のプロジェクター表示式遊技機においては、遊技盤１に遊技釘や役物等が配置されている。
【００１５】
装飾部材２は、同図中においては、遊技盤１と、遮光板３と、突起部４と、から構成されている。
遊技盤１は、プロジェクター９１により照射される光を透過可能な透明な材質を用いている。
遮光板３は、遊技盤１の裏面に設置され、プロジェクター９１により照射される光が遊技盤１前面への透過を遮る。遮光板３は、同図（Ｂ）に示されるように、透明な遊技盤１を通して遊技者に表示されることから、その色、遮光の程度を調節することにより様々な演出を行うことができる。例えば、透過率の低い、黒い材質を用いることにより、突起部４との対照をはっきりさせて、後述するように、突起部４がランプが点灯したように見える視覚効果を高めることができる。又、遮光板３の設置に替えて、例えば、突起部４に対応する位置を取り囲むように、遊技盤１裏面に印刷を施したり、塗料を塗布したり、あるいは、当該部分のみ材質が異なる遊技盤１を用いたりして、突起部４部分よりも透過率が低くなるようにしてもよい。
【００１６】
図２には、突起部４の構成を説明するために、装飾部材を側面方向からみた断面図が示されている。同図に示される突起部４は、遊技盤１の前面に突出して設けられ、かつ、遊技盤１を透過した光の光路Ｒ上に、遊技盤１に平行して設置された光調節板４１を含んで構成されている。光調節板４１には、遮光板３よりも透過率の高い、例えば、透明又は半透明の材質を用いる。すなわち、透過部の周辺が、透過部よりも透過率が低くなるようにする。これにより、プロジェクターにより装飾部材２に光が照射されると、図１（Ｂ）に示されるように、遮光板３に取り囲まれた突起部４部分は、その透過率の違いにより、浮き出したように明るく見せることができる。すなわち、プロジェクターの輝度は高いため、突起部４の光調節板に透過率の高い透明な材質を用いれば、発光管等を用いなくても突起部４が光っているように見せることができる。また、上述のように、この効果は、遮光板３と突起部４の透過率の差異を大きくしたり、遮光板３に対照的な色を用いたり等することにより、更に高めることができる。
【００１７】
尚、この突起部４を用いることなく、特定箇所を残して、その周りを取り囲むように遊技盤１の裏面に遮光板３を設置しただけでも同様の効果を得ることができる。しかし、突起部４を用いれば、ランプが点灯しているように見せることができる。また、光調節板に様々な加工を行って、透過する光の具合を調節することにより、遊技盤１のみを用いるよりも様々な演出を行うことができる。例えば、図２に示されるように、光調節板４１の表面に細かい複数の溝を設ける、ローレット加工を施す。これにより、プロジェクターによる照射光の調節だけでは出すことができない独特の光の具合を演出することができる。又、光調節板４１に遮光板３を設置することもできる。この場合には、遮光板３が設置されていない遊技盤１の部分を透過した光Ｒ１は、光調節板４１の遮光板３により遮光される。これにより、遊技盤１に直接遮光板３を設置するよりも細かな調節を行うことができる。尚、同図においては、光Ｒ１部分を明らかにするために、塗りつぶして示している。
【００１８】
図３及び図４には、プロジェクター９１により照射する光を調節することによって、装飾部材２における光の表示を調節する様子が示されている。本実施例において用いられるプロジェクター９１は、パーソナルコンピュータなどの画像処理装置９２に接続されている。この画像処理装置９２は、プロジェクターにより拡大投影する映像のデータを作成又は保持し、プロジェクター９１に送信するものである。装飾部材２に照射する照射光を調節するには、照射すべき光に対応するように、この映像、すなわち、映像データを作成し、あるいは、作成された映像データを用いる。
【００１９】
図３には、映像に色をつけることにより、装飾部材２にその色を表示する様子が示されている。例えば、赤色及び黄色の２色の映像を用いて、赤色投影光Ｒ３及び黄色投影光Ｒ４からなる照射光を装飾部材２に照射する。同図（Ａ）に示されるように、本実施例の装飾部材２においては、遮光板３の代わりにフレネルレンズ５が遊技盤１の裏面に設置されている。このフレネルレンズ５は、その裏面から照射光を受光して、その前面に像を映し出すスクリーンの役割を果たすものである。このため、装飾部材２を正面から見ると、突起部４を取り囲むように設置されたフレネルレンズ５が赤色投影光Ｒ３を受光して、赤色を映し出す。又、突起部４部分は黄色投影光Ｒ４を透過するため、黄色のランプが点灯しているように見せることができる。このように、照射光を調節することにより、突起部４で点灯する色を調節し、その周辺部分も点灯色にあわせた色を表示するように調節することができる。尚、図３及び図４においては、異なる色の映像を投影する光をそれぞれ色分けして表している。
【００２０】
図４には、装飾部材２に複数種類の色彩を段階的に表示する様子が示されている。本実施例においては、Ａ〜Ｚ（アルファベット順）まで段階的に色調を変化させた映像を用いて、照射光の色調が段階的に変化するように調節する。これにより、装飾部材２は、フレネルレンズ５の設置部分に複数種類の色彩が段階的に映し出され、突起部４は複数種類の色で点灯する。
【００２１】
【発明の効果】
以上説明したように、本発明に係る請求項１に記載の装飾部材によれば、プロジェクターからの照射光の透過率がその周りよりも高い透過部を設けることにより、透過部だけが明るくなり、通常は一様にプロジェクターからの照射光を映し出す盤面の視覚効果に変化をつけることができる。この透過部の透過率、周辺部の透過率、及び、透過部と周辺部の透過率の差等を調節することにより、様々な盤面演出が可能になる。
【００２２】
本発明に係る請求項２に記載の装飾部材によれば、盤面上に突出した光調節板を設けることにより、盤面に設置されたランプが点灯しているような視覚効果を与えることができる。このため、従来の遊技機で用いていた発光管や発光ダイオード等の照明具に代えて用いることができるため、発光に必要なエネルギーコストを省き、安価なレンズの設置等でコストを低く抑えることができ、又、ランプ切れの交換等のメンテナンスも不要となる。
【００２３】
本発明に係る請求項３に記載の装飾部材によれば、光調節板の表面にローレット加工が施すことにより、光源の調節だけでは得ることができない独特の視覚効果を得ることができる。
本発明に係る請求項４に記載の装飾部材によれば、透過部の周りにスクリーンを設置することにより、プロジェクターにより投影された映像を映し出すことができる。このため、従来の照明具と異なって、盤面映像に応じて透過部を点灯させるなど、点灯する部分とその周辺の一体となった演出が可能になる。
【００２４】
本発明に係る請求項５〜７に記載の遊技機によれば、プロジェクターにより投影する映像を調節することにより、従来の照明具では行うことができなかった照明を行うことができる。すなわち、複数種類の色を段階的に表示させたり、設置された器具にかかわらず表示する色や配色を自由に変化させることができる。
【図面の簡単な説明】
【図１】（Ａ）は、遊技盤に設置された装飾部材を側面方向から見た図、（Ｂ）は、遊技盤に設置された装飾部材の正面図である。
【図２】突起部の構成を説明するために、装飾部材を側面方向から見た断面図である。
【図３】（Ａ）は、２色からなる映像を投影する光を照射される装飾部材の側面方向から見た断面図、（Ｂ）は、２色からなる映像を投影する光を照射される装飾部材の正面図である。
【図４】（Ａ）は、段階的に色調が変化した映像を投影する光を照射される装飾部材を側面方向から見た断面図、（Ｂ）は、段階的に色調が変化した映像を投影する光を照射される装飾部材の正面図である。
【符号の説明】
１　　　　　　遊技盤
２　　　　　　装飾部材
３　　　　　　遮光板
４　　　　　　突起部
５　　　　　　フレネルレンズ
４１　　　　光調節板
９１　　　　プロジェクター
９２　　　　画像処理装置
【図１】
2004049739.tif 000003
【図２】
2004049739.tif 000004
【図３】
2004049739.tif 000005
【図４】
2004049739.tif 000006